(57)【要約】  本発明は、電子名刺交換方法および装置を提供している。電子名刺交換方法は、第１の電子名刺端末が、第１の電子名刺を表示しているときに第１のタッチ信号を受信した場合、第１の電子名刺を上下逆さまにして、第２の電子名刺端末とのデータ接続を確立するステップ（１０１）と、第１の電子名刺端末が、上下逆さまにされた第１の電子名刺を表示しているときに第２のタッチ信号を受信した場合、データ接続を介して第２の電子名刺端末に第１の電子名刺を送信するステップ（１０３）と、第１の電子名刺端末が、データ接続を介して第２の電子名刺端末から送信された第２の電子名刺を受信して表示するステップ（１０４）とを備えている。ユーザは二つのタッチ信号を送信するだけで電子名刺交換を実施できるため、従来技術の電子名刺交換の複雑な操作や相手側への混乱の招きやすさの問題が解決される。加えて、交換過程は正式な手順に従っており、名刺交換のビジネスマナーに沿っているため、電子名刺交換のマナー違反への懸念による紙名刺の代替として電子名刺が大きく普及できないといった問題が解決される。【選択図】図１
2018500779.tif 000002
【特許請求の範囲】
【請求項１】
第１の電子名刺端末が、第１の電子名刺を表示しているときに第１のタッチ信号を受信した場合、前記第１の電子名刺を上下逆さまにして、第２の電子名刺端末とのデータ接続を確立するステップと、
前記第１の電子名刺端末が、上下逆さまにされた前記第１の電子名刺を表示しているときに第２のタッチ信号を受信した場合、前記データ接続を介して前記第２の電子名刺端末に前記第１の電子名刺を送信するステップと、
前記第１の電子名刺端末が、前記データ接続を介して前記第２の電子名刺端末から送信された第２の電子名刺を受信して表示するステップと、を備えることを特徴とする、電子名刺交換方法。
【請求項２】
前記第１のタッチ信号は、二本の指による長押し動作であることを特徴とする、請求項１に記載の電子名刺交換方法。
【請求項３】
前記第２のタッチ信号は、二本の指による上方向へのスライド動作であることを特徴とする、請求項１に記載の電子名刺交換方法。
【請求項４】
前記第１の電子名刺端末が、前記第２の電子名刺端末との前記データ接続を確立する前記ステップは、
前記第１の電子名刺端末が、近距離無線通信（ＮＦＣ）、Ｂｌｕｅｔｏｏｔｈ、または赤外線通信に基づいて前記第２の電子名刺端末を検出し、前記第２の電子名刺端末とペアリング接続および低速接続を確立するステップと、
前記第１の電子名刺端末が、前記確立された低速接続を介して、高速接続を確立するために必要なペアリング情報を送信するステップと、をさらに備え、
前記高速接続には、高速無線通信方式が選択されることを特徴とする、請求項１乃至３のいずれか１項に記載の電子名刺交換方法。
【請求項５】
第１の電子名刺端末に構成される電子名刺交換装置であって、
前記第１の電子名刺端末が、第１の電子名刺を表示しているときに第１のタッチ信号を受信した場合、前記第１の電子名刺を上下逆さまにして、第２の電子名刺端末とのデータ接続を確立するステップのために使用される接続モジュールと、
前記第１の電子名刺端末が、上下逆さまにされた前記第１の電子名刺を表示しているときに第２のタッチ信号を受信した場合、前記データ接続を介して前記第２の電子名刺端末に前記第１の電子名刺を送信するステップのために使用される送信モジュールと、
前記第１の電子名刺端末が、前記データ接続を介して前記第２の電子名刺端末から送信された第２の電子名刺を受信して表示するステップのために使用される受信モジュールと、を備えることを特徴とする、電子名刺交換装置。
【請求項６】
前記第１のタッチ信号は、二本の指による長押し動作であることを特徴とする、請求項５に記載の電子名刺交換装置。
【請求項７】
前記第２のタッチ信号は、二本の指による上方向へのスライド動作であることを特徴とする、請求項５に記載の電子名刺交換装置。
【請求項８】
前記接続モジュールは、
前記第１の電子名刺端末が、近距離無線通信（ＮＦＣ）、Ｂｌｕｅｔｏｏｔｈ、または赤外線通信に基づいて前記第２の電子名刺端末を検出し、前記第２の電子名刺端末とペアリング接続および低速接続を確立するステップのために使用される第１の接続モジュールと、
前記第１の電子名刺端末が、高速接続を確立するために必要なペアリング情報を、前記確立された低速接続を介して送信するステップのために使用される第２の接続モジュールと、を備え、
前記高速接続には、高速無線通信方式が選択されることを特徴とする、請求項５乃至７のいずれか１項に記載の電子名刺交換装置。
【発明の詳細な説明】
【技術分野】
【０００１】
本発明は情報技術に関し、より詳細には、電子名刺交換方法および装置に関する。
【背景技術】
【０００２】
電子名刺情報は、電子文書を用いて従来の紙名刺の全情報を持つ新しい名刺の形態である。電子名刺情報は、インテリジェント電子端末に格納されてもよい。ユーザは、インテリジェント電子端末間の通信接続を用いて電子名刺交換を実施してもよい。ペーパーレスオフィスの進歩により、紙製品は表舞台から消えつつある。従来の紙名刺と比べ、電子名刺の利点は明白である。保管には便利で迅速且つ安全であり、人手を節約し、環境にもやさしい。
【０００３】
従来技術では、二つの端末間で電子名刺情報交換を実施するときは、インテリジェント電子端末間の接続を確立するために、電子名刺交換を行う双方に複雑な操作が要求されることが多い。接続が確立された後に、電子名刺は順に送受信される。最後に、特定のフォルダに保存された電子名刺は呼び出される必要があり、ユーザはフォルダをクリックして開くことで相手側の電子名刺を見ることができるようになる。したがって、従来技術では電子名刺交換の操作は複雑であり、ユーザにとって使いにくい。
【発明の概要】
【発明が解決しようとする課題】
【０００４】
本発明の実施形態は、従来技術の電子名刺交換の複雑な操作の問題を解決する電子名刺交換方法および装置を提供している。
【課題を解決するための手段】
【０００５】
本発明の一態様は、電子名刺交換方法を提供しており、本方法は、
−  第１の電子名刺端末が、第１の電子名刺を表示しているときに第１のタッチ信号を受信した場合、前記第１の電子名刺を上下逆さまにして、第２の電子名刺端末とのデータ接続を確立するステップと、
−  前記第１の電子名刺端末が、上下逆さまにされた前記第１の電子名刺を表示しているときに第２のタッチ信号を受信した場合、前記データ接続を介して前記第２の電子名刺端末に前記第１の電子名刺を送信するステップと、
−  前記第１の電子名刺端末が、前記データ接続を介して前記第２の電子名刺端末から送信された第２の電子名刺を受信して表示するステップと、を含んでいる。
【０００６】
本発明の別の態様は、電子名刺交換装置を提供しており、本装置は第１の端末に構成され、
−  第１の電子名刺端末が、第１の電子名刺を表示しているときに第１のタッチ信号を受信した場合、前記第１の電子名刺を上下逆さまにして、第２の電子名刺端末とのデータ接続を確立するステップのために使用される接続モジュールと、
−  前記第１の電子名刺端末が、上下逆さまにされた前記第１の電子名刺を表示しているときに第２のタッチ信号を受信した場合、前記データ接続を介して前記第２の電子名刺端末に前記第１の電子名刺を送信するステップのために使用される送信モジュールと、
−  前記第１の電子名刺端末が、前記データ接続を介して前記第２の電子名刺端末から送信された第２の電子名刺を受信して表示するステップのために使用される受信モジュールと、を含んでいる。
【０００７】
本発明の実施形態により提供される電子名刺交換方法および装置では、第１の電子名刺端末は、第１の電子名刺を表示しているときに第１のタッチ信号を受信した場合、名刺が相手側を向くように第１の電子名刺を上下逆さまにして、第２の電子名刺端末とのデータ接続を確立し、上下逆さまにされた第１の電子名刺を表示しているときに第２のタッチ信号を受信した場合、データ接続を介して第２の電子名刺端末に第１の電子名刺を送信し、さらに、データ接続を介して第２の電子名刺端末から送信された第２の電子名刺を受信して表示する。すなわち、ユーザは二つのタッチ信号を送信するだけで電子名刺交換を実施できるため、従来技術の電子名刺交換の複雑な操作や相手側への混乱の招きやすさの問題が解決される。加えて、交換過程は正式な手順に従っており、名刺交換のビジネスマナーに沿っているため、電子名刺交換のマナー違反への懸念による紙名刺の代替として電子名刺が大きく普及できないといった問題が解決される。
【図面の簡単な説明】
【０００８】
本発明の実施形態または従来技術の技術的解決手段をより明確に説明するために、実施形態または従来技術の説明で参照される図面を以下に簡単に説明する。これらの図面は本発明に係る実施形態を示しているに過ぎず、創作的活動を行うことなくこれらの図面に係る他の図面も得られることは当業者には明らかである。
【図１】図１は、本発明の一実施形態に係る電子名刺交換方法のフローチャートである。
【図２】図２は、本発明の他の実施形態に係る電子名刺交換方法のフローチャートである。
【図３】図３は、本発明の一実施形態に係る電子名刺交換装置の模式的な構造図である。
【図４】図４は、本発明の他の実施形態に係る電子名刺交換装置の模式的な構造図である。
【発明を実施するための形態】
【０００９】
本発明の実施形態の目的、技術的解決手段および利点をより明確にするために、本発明の実施形態および図面を参照して、本発明の技術的解決手段を明確に且つ十分に以下に説明する。説明される実施形態は、本発明の実施形態の一部に過ぎない。本発明の実施形態に基づいて当業者が創作的活動を行うことなく得られる他の実施形態も、本発明の保護範囲に含まれている。
【００１０】
電子名刺端末はインテリジェント装置であり、インテリジェント装置には、表示スクリーン、通信インターフェイス、ＣＰＵ、メモリ等が含まれている。メモリは、電子名刺端末を使用するユーザの電子名刺を含む、交換される電子名刺を格納するために使用される。
【００１１】
図１は、本発明の一実施形態に係る電子名刺交換方法のフローチャートである。図１に示されるように、本実施形態によって提供される電子名刺交換方法は、第１の電子名刺端末と第２の電子名刺端末との間で電子名刺交換を実施するために用いられている。第１の電子名刺端末は、第１の電子名刺端末のユーザの第１の電子名刺を格納しており、第２の電子名刺端末は、第２の電子名刺端末のユーザの第２の電子名刺を格納している。本実施形態によって提供される電子名刺交換方法は、以下のステップを含んでもよい。
【００１２】
参照番号１０１は、第１の電子名刺端末が、第１の電子名刺を表示しているときに第１のタッチ信号を受信した場合、第１の電子名刺を上下逆さまにして、第２の電子名刺端末とのデータ接続を確立するステップである。
【００１３】
上述の第１のタッチ信号は、二本の指による長押し動作である。
【００１４】
第１の電子名刺端末は、第１の電子名刺端末のユーザの第１の電子名刺を格納している。第１の電子名刺端末は、パワー・オンされた後に格納している第１の電子名刺を表示してもよく、または予め設定された動作信号を検知した後に第１の電子名刺を表示してもよい。次に、第１の電子名刺端末は、第１の電子名刺を表示しているときに第１のタッチ信号を受信した場合、第１の電子名刺を上下逆さまにして、第２の電子名刺端末とのデータ接続を確立する。具体的には、第１の電子名刺端末が第１の電子名刺に画像処理を実施することによって、第１の電子名刺は上下逆さまに表示される。ユーザが第１の電子名刺端末を把持している状態において、第１の電子名刺は、上下逆さまにされる前は上下正位置で表示され、上下逆さまにされた後は上下逆位置で表示される。したがって、把持された第１の電子名刺端末と対面している他のユーザは、上下正位置において第１の電子名刺を見ることができ、すなわち、第１の電子名刺は上下逆さまにされた後に相手側に向けられる。一方、第１の電子名刺端末は、近距離無線通信（ＮＦＣ）、Ｂｌｕｅｔｏｏｔｈ（登録商標）、または赤外線通信に基づいて第２の電子名刺端末を検出し、第２の電子名刺端末とのペアリング接続を確立する。ペアリング接続が確立されたときに、ワイヤレス・フィデリティ（Ｗｉ−Ｆｉ）およびＷｉ−Ｆｉ  Ｄｉｒｅｃｔを含む高速無線通信の接続がオンされる。
【００１５】
本実施形態の予め設定された動作信号は、スライド動作によるタッチ信号でもよく、音声信号でもよいが、これらに制限されないことに留意されたい。
【００１６】
参照番号１０３は、第１の電子名刺端末が、上下逆さまにされた第１の電子名刺を表示しているときに第２のタッチ信号を受信した場合、データ接続を介して第２の電子名刺端末に第１の電子名刺を送信するステップである。
【００１７】
上述の第２のタッチ信号は、二本の指による上方向へのスライド動作である。
【００１８】
第１の電子名刺端末は、上下逆さまにされた第１の電子名刺を表示しているときに第２のタッチ信号を受信した場合、データ接続を介して第２の電子名刺端末に第１の電子名刺を送信する。それにより、第２の電子名刺端末は、データ接続を介して第１の電子名刺を受信し、受信した第１の電子名刺を表示する。
【００１９】
参照番号１０４は、第１の電子名刺端末が、データ接続を介して第２の電子名刺端末から送信された第２の電子名刺を受信して表示するステップである。
【００２０】
本発明を明確に説明するために、本実施形態は対応する以下の動作プロセスをさらに提供している。
【００２１】
１．二本の指によるスクリーンの長押し動作によって、上下正位置において受信側を向くように名刺が１８０度回転され、Ｗｉ−Ｆｉをオンしてデータ接続を確立する。
【００２２】
２．電子名刺交換の実施が可能であること、すなわち、相手側に電子名刺を送信し、相手側から送信された電子名刺が受信可能であることを示すために、データ接続が確立されたことを通知する。
【００２３】
３．二本の指によるスクリーン上の名刺の上方向へのスライド動作によって、電子名刺交換を実施する。
【００２４】
４．名刺交換の成功後に、上から下へスライドするように表示インターフェイスに相手側の名刺を表示して、後続するデータ処理および記憶を同時に完了する。
【００２５】
５．スクリーンのダブルクリック動作によって、ユーザ自身の電子名刺用表示インターフェイスに切り替える。
【００２６】
本実施形態では、第１の電子名刺端末は、第１の電子名刺を表示しているときに第１のタッチ信号を受信した場合、名刺が相手側を向くように第１の電子名刺を上下逆さまにして、第２の電子名刺端末とのデータ接続を確立し、上下逆さまにされた第１の電子名刺を表示しているときに第２のタッチ信号を受信した場合、データ接続を介して第２の電子名刺端末に第１の電子名刺を送信し、さらに、データ接続を介して第２の電子名刺端末から送信された第２の電子名刺を受信して表示する。すなわち、ユーザは二つのタッチ信号を送信するだけで電子名刺交換を実施できるため、従来技術の電子名刺交換の複雑な操作や相手側への混乱の招きやすさの問題が解決される。加えて、交換過程は正式な手順に従っており、名刺交換のビジネスマナーに沿っているため、電子名刺交換のマナー違反への懸念による紙名刺の代替として電子名刺が大きく普及できないといった問題が解決される。
【００２７】
図２は、本発明の他の実施形態に係る電子名刺交換方法のフローチャートである。図２に示されるように、本実施形態によって提供される電子名刺交換方法は、第１の電子名刺端末と第２の電子名刺端末との間で電子名刺交換を実施するために用いられている。第１の電子名刺端末は、第１の電子名刺端末のユーザの第１の電子名刺を格納しており、第２の電子名刺端末は、第２の電子名刺端末のユーザの第２の電子名刺を格納している。本実施形態によって提供される電子名刺交換方法は以下を含んでもよい。
【００２８】
参照番号２０１は、第１の電子名刺端末と第２の電子名刺端末が、ＮＦＣを介してペアリング接続を確立するステップである。
【００２９】
具体的には、第１の電子名刺端末は、第１の電子名刺を表示しているときに二本の指による長押し動作のタッチ信号を受信した場合、ＮＦＣ方式に基づいて第２の電子名刺端末とのペアリング接続を確立する。
【００３０】
参照番号２０２は、ＮＦＣ接続が確立された後に、Ｗｉ−ＦｉおよびＷｉ−Ｆｉ  Ｄｉｒｅｃｔを含む高速接続が第１の電子名刺端末および第２の電子名刺端末においてオンされるステップである。
【００３１】
高速接続には、Ｗｉ−Ｆｉ、Ｗｉ−Ｆｉ  Ｄｉｒｅｃｔ、およびＬｏｎｇ  Ｔｅｒｍ  Ｅｖｏｌｕｔｉｏｎ（ＬＴＥ）が含まれているが、これらに制限されない高速無線通信方式が選択される。
【００３２】
参照番号２０３は、第１の電子名刺端末と第２の電子名刺端末が、高速接続を介してデータ接続を確立するステップである。
【００３３】
参照番号２０４は、確立されたデータ接続を介して第１の電子名刺端末と第２の電子名刺端末との間で電子名刺交換が実施されるステップである。
【００３４】
具体的には、第１の電子名刺端末は、上下逆さまにされた第１の電子名刺を表示しているときに第２のタッチ信号を受信した場合、データ接続を介して第２の電子名刺端末に第１の電子名刺を送信し、さらに、データ接続を介して第２の電子名刺端末から送信された第２の電子名刺を受信して表示させてもよい。
【００３５】
本実施形態では、第１の電子名刺端末は、第１の電子名刺を表示しているときに第１のタッチ信号を受信した場合、名刺が相手側を向くように第１の電子名刺を上下逆さまにして、第２の電子名刺端末とのデータ接続を確立し、上下逆さまにされた第１の電子名刺を表示しているときに第２のタッチ信号を受信した場合、データ接続を介して第２の電子名刺端末に第１の電子名刺を送信し、さらに、データ接続を介して第２の電子名刺端末から送信された第２の電子名刺を受信して表示する。すなわち、ユーザは二つのタッチ信号を送信するだけで電子名刺交換を実施できるため、従来技術の電子名刺交換の複雑な操作や相手側への混乱の招きやすさの問題が解決される。加えて、交換過程は正式な手順に従っており、名刺交換のビジネスマナーに沿っているため、電子名刺交換のマナー違反への懸念による紙名刺の代替として電子名刺が大きく普及できないといった問題が解決される。
【００３６】
図３は、本発明の一実施形態に係る電子名刺交換装置の模式的な構造図である。図３に示されるように、本実施形態に係る電子名刺交換装置は、第１の電子名刺端末に構成されている。本実施形態では、第１の電子名刺端末は、第１の電子名刺端末のユーザの第１の電子名刺を格納しており、第２の電子名刺端末は、第２の電子名刺端末のユーザの第２の電子名刺を格納している。本実施形態に係る装置は、接続モジュール３１と、送信モジュール３３と、受信モジュール３４とを含んでもよい。
【００３７】
接続モジュール３１は、第１の電子名刺端末が、第１の電子名刺を表示しているときに第１のタッチ信号を受信した場合、第１の電子名刺を上下逆さまにして、第２の電子名刺端末とのデータ接続を確立するステップのために使用される。
【００３８】
上述の第１のタッチ信号は、二本の指による長押し動作である。
【００３９】
送信モジュール３３は、処理モジュール３２に接続されており、第１の電子名刺端末が、上下逆さまにされた第１の電子名刺を表示しているときに第２のタッチ信号を受信した場合、データ接続を介して第２の電子名刺端末に第１の電子名刺を送信するステップのために使用される。
【００４０】
上述の第２のタッチ信号は、二本の指による上方向へのスライド動作である。
【００４１】
受信モジュール３４は、送信モジュール３３に接続されており、第１の電子名刺端末が、データ接続を介して第２の電子名刺端末から送信された第２の電子名刺を受信して表示するステップのために使用される。
【００４２】
本実施形態では、第１の電子名刺端末は、第１の電子名刺を表示しているときに第１のタッチ信号を受信した場合、名刺が相手側を向くように第１の電子名刺を上下逆さまにして、第２の電子名刺端末とのデータ接続を確立し、上下逆さまにされた第１の電子名刺を表示しているときに第２のタッチ信号を受信した場合、データ接続を介して第２の電子名刺端末に第１の電子名刺を送信し、さらに、データ接続を介して第２の電子名刺端末から送信された第２の電子名刺を受信して表示する。すなわち、ユーザは二つのタッチ信号を送信するだけで電子名刺交換を実施できるため、従来技術の電子名刺交換の複雑な操作や相手側への混乱の招きやすさの問題が解決される。加えて、交換過程は正式な手順に従っており、名刺交換のビジネスマナーに沿っているため、電子名刺交換のマナー違反への懸念による紙名刺の代替として電子名刺が大きく普及できないといった問題が解決される。
【００４３】
図４は、本発明の他の実施形態に係る電子名刺交換装置の模式的な構造図である。図４に示されるように、上述の実施形態に基づき、本実施形態の電子名刺交換装置の接続モジュール３１は、第１の接続モジュール３１１と、第２の接続モジュール３１２とを含んでいる。
【００４４】
第１の接続モジュール３１１は、第１の電子名刺端末が、近距離無線通信（ＮＦＣ）、Ｂｌｕｅｔｏｏｔｈ、または赤外線通信に基づいて第２の電子名刺端末を検出し、第２の電子名刺端末とのペアリング接続および低速接続を確立するステップのために使用される。
【００４５】
第２の接続モジュール３１２は、第１の電子名刺端末が、高速接続を確立するために必要なペアリング情報を、確立された低速接続を介して送信するステップのために使用され、このとき、高速接続にはＷｉ−ＦｉまたはＷｉ−Ｆｉ  Ｄｉｒｅｃｔの高速無線通信方式が選択される。
【００４６】
本実施形態では、第１の電子名刺端末は、第１の電子名刺を表示しているときに第１のタッチ信号を受信した場合、名刺が相手側を向くように第１の電子名刺を上下逆さまにして、第２の電子名刺端末とのデータ接続を確立し、上下逆さまにされた第１の電子名刺を表示しているときに第２のタッチ信号を受信した場合、データ接続を介して第２の電子名刺端末に第１の電子名刺を送信し、さらに、データ接続を介して第２の電子名刺端末から送信された第２の電子名刺を受信して表示する。すなわち、ユーザは二つのタッチ信号を送信するだけで電子名刺交換を実施できるため、従来技術の電子名刺交換の複雑な操作や相手側への混乱の招きやすさの問題が解決される。加えて、交換過程は正式な手順に従っており、名刺交換のビジネスマナーに沿っているため、電子名刺交換のマナー違反への懸念による紙名刺の代替として電子名刺が大きく普及できないといった問題が解決される。
【００４７】
上述の実施形態を実施するステップの全てまたは一部は、プログラムの指示命令に対応するハードウェアを介して完了されてもよいことを、当業者であれば理解可能である。このプログラムは、モバイル機器またはコンピュータ読み取り可能な記憶媒体に記憶されてもよく、実行プログラムには本方法の上述の実施形態のステップが含まれている。上述の記憶媒体には、プログラムコードを記憶することができる読み出し専用メモリ（ＲＯＭ）、読み書き可能メモリ（ＲＡＭ）、磁気ディスク、または光ディスク等の様々な媒体が含まれている。
【００４８】
最後に、上述した実施形態は本発明の技術的な課題解決手段を示しているに過ぎず、本発明を制限しないことに留意されたい。本発明は上述の実施形態に従って詳細に説明されているが、それらの実施形態に記載された技術的な課題解決手段は様々に変更可能であること、技術的特徴の一部を同等の技術的特徴に置換可能であること、さらにこれらの変更や置換が本特許請求の趣旨および範囲から逸脱しないことを、当業者であれば理解可能である。
【図１】
2018500779.tif 000003
【図２】
2018500779.tif 000004
【図３】
2018500779.tif 000005
【図４】
2018500779.tif 000006
【手続補正書】
【提出日】平成29年10月30日(2017.10.30)
【手続補正１】
【補正対象書類名】明細書
【補正対象項目名】００３９
【補正方法】変更
【補正の内容】
【００３９】
送信モジュール３３は、接続モジュール３１に接続されており、第１の電子名刺端末が、上下逆さまにされた第１の電子名刺を表示しているときに第２のタッチ信号を受信した場合、データ接続を介して第２の電子名刺端末に第１の電子名刺を送信するステップのために使用される。
【国際調査報告】
2018500779.tif 000007
2018500779.tif 000008
2018500779.tif 000009
2018500779.tif 000010